(57)【要約】【課題】エンドユーザの通信に与える影響を低減させる。【解決手段】実施形態の無線管理装置は、無線通信可能な領域を形成する無線通信中継装置群を管理する無線管理装置であって、第１の送信手段と、第２の送信手段と、を備える。第１の送信手段は、無線通信中継装置群のうち、隣接する無線通信中継装置間の距離と、当該無線中継装置のアンテナの送信電力を大きくした場合に無線通信可能な距離と、に基づいて定められた第１の無線中継装置に対して、送信電力を大きくさせる第１の制御命令を送信する。第２の送信手段は、第１の無線中継装置に隣接する第２の無線中継装置に対して、当該第２の無線中継装置と接続中の無線端末をハンドオーバーさせる第２の制御命令を送信すると共に、当該第２の無線中継装置に対して、リセット命令を送信する。【選択図】図１
2014003386.tif 000002
【特許請求の範囲】
【請求項１】
無線通信可能な領域を形成する無線通信中継装置群を管理する無線管理装置であって、
前記無線通信中継装置群のうち、隣接する無線通信中継装置間の距離と、当該無線中継装置のアンテナの送信電力を大きくした場合に無線通信可能な距離と、に基づいて定められた第１の無線中継装置に対して、送信電力を大きくさせる第１の制御命令を送信する第１の送信手段と、
前記無線通信中継装置群のうち、前記第１の制御命令を送信された前記第１の無線中継装置に隣接する第２の無線中継装置に対して、当該第２の無線中継装置と接続中の無線端末をハンドオーバーさせる第２の制御命令を送信すると共に、当該第２の無線中継装置に対して、リセット命令を送信する第２の送信手段と、
を備える無線管理装置。
【請求項２】
前記第２の送信手段は、前記第２の制御命令を送信し、当該無線端末のハンドオーバーをされたことを確認した後に、前記リセット命令を送信する、
請求項１に記載の無線管理装置。
【請求項３】
前記第１の無線中継装置を示す第１の識別情報と、前記第２の無線中継装置を示す第２の識別情報と、を対応付けて記憶する記憶手段を、さらに備え、
前記第１の送信手段は、前記第１の識別情報で識別される前記第１の無線中継装置に対して、前記第１の制御命令を送信し、
前記第２の送信手段は、前記第１の制御命令が送信された前記第１の無線中継装置を識別する前記第１の識別情報と対応付けられている前記第２の識別情報で識別される前記第２の無線中継装置に対して、前記リセット命令を送信する、
請求項１又は２に記載の無線管理装置。
【請求項４】
前記リセット命令を送信した前記第２の無線中継装置がリセット状態から復帰した場合に、前記第１の無線中継装置に対して、大きくする前の送信電力に戻させる第３の制御命令を送信する第３の送信手段を、さらに備えた、
請求項１乃至３のいずれか一つに記載の無線管理装置。
【請求項５】
前記第１の送信手段が前記制御命令により送信電力が大きくなった場合に、無線通信可能な範囲が重複する前記無線通信中継装置間で使用する周波数帯を異ならせる、
請求項１乃至４のいずれか一つに記載の無線管理装置。
【請求項６】
無線通信可能な領域を形成する無線通信中継装置群と、当該無線通信中継装置群を管理する無線管理装置で構成される通信システムであって、
前記無線管理装置は、
前記無線通信中継装置群のうち、隣接する無線通信中継装置間の距離と、当該無線中継装置のアンテナの送信電力を大きくした場合に無線通信可能な距離と、に基づいて定められた第１の無線中継装置に対して、送信電力を大きくさせる第１の制御命令を送信する第１の送信手段と、
前記無線通信中継装置群のうち、前記第１の制御命令を送信された前記第１の無線中継装置に隣接する第２の無線中継装置に対して、当該第２の無線中継装置と接続中の無線端末をハンドオーバーさせる第２の制御命令を送信すると共に、当該第２の無線中継装置に対して、リセット命令を送信する第２の送信手段と、を備え、
前記無線通信中継装置群に含まれる無線通信中継装置は、
前記第１の制御命令を受信した場合に無線部の送信電力を大きくなるよう設定する設定手段と、
前記第２の制御命令を受信した場合に接続中の無線通信端末に対してハンドオーバーさせる制御と、前記リセット命令を受信した場合に自装置をリセットさせる制御手段と、を備える、
通信システム。
【請求項７】
無線通信可能な領域を形成する無線通信中継装置群と、当該無線通信中継装置群を管理する無線管理装置で構成される通信システムで実行される通信方法であって、
前記無線管理装置が、前記無線通信中継装置群のうち、隣接する無線通信中継装置間の距離と、当該無線中継装置のアンテナの送信電力を大きくした場合に無線通信可能な距離と、に基づいて定められた第１の無線中継装置に対して、送信電力を大きくさせる第１の制御命令を送信する第１の送信ステップと、
前記第１の無線中継装置が、前記第１の制御命令を受信した場合に、無線部の送信電力を大きくなるよう設定する設定ステップと、
前記無線管理装置が、前記第１の制御命令を送信された前記第１の無線中継装置に隣接する第２の無線中継装置に対して、当該第２の無線中継装置と接続中の無線端末をハンドオーバーさせる第２の制御命令を送信すると共に、当該第２の無線中継装置に対して、リセット命令を送信する第２の送信ステップと、
前記第２の無線中継装置が、前記第２の制御命令を受信した場合に接続中の無線通信端末に対してハンドオーバーさせる制御と、前記リセット命令を受信した場合に自装置をリセットさせる制御ステップと、
を含む通信方法。
【請求項８】
無線通信可能な領域を形成する無線通信中継装置群を管理するコンピュータに対して、
前記無線通信中継装置群のうち、隣接する無線通信中継装置間の距離と、当該無線中継装置のアンテナの送信電力を大きくした場合に無線通信可能な距離と、に基づいて定められた第１の無線中継装置に対して、送信電力を大きくさせる第１の制御命令を送信する第１の送信ステップと、
前記無線通信中継装置群のうち、前記第１の制御命令を送信された前記第１の無線中継装置に隣接する第２の無線中継装置に対して、当該第２の無線中継装置と接続中の無線端末をハンドオーバーさせる第２の制御命令を送信すると共に、当該第２の無線中継装置に対して、リセット命令を送信する第２の送信ステップと、
を実行させるための通信プログラム。
【発明の詳細な説明】
【技術分野】
【０００１】
本発明の実施形態は、無線管理装置、通信システム、通信方法、及び通信プログラムに関する。
【背景技術】
【０００２】
従来、モバイルデータトラフィックの増大に伴うエリア対策・トラフィック対策は、主に屋外の構成について提案されている。しかしながら、その後は屋内においても重要性を増すものと予想されている。屋内に対してフェムトセル基地局やピコセル基地局を設置すればエリア対策・トラフィック対策にはなるが、基地局は各々が単独運用されている。このため、お互いに連携しながら保守運用機能を実現することはできなかった。
【０００３】
保守運用機能の一つとして、基地局のファイル更新機能がある。ファイル更新時は新たなプログラムファイルで運用を開始するためにリセット動作を伴うので、基地局が一時的な運用停止状態にならざるを得ない。結果としてリセット後、再度基地局が立ち上がるまでの間では不感地帯が生じてしまい、エンドユーザに影響を与えてしまうという課題があった。
【０００４】
そこで、複数の基地局のうち、いずれか一方の基地局をリセットし、他方の基地局の無線通信を継続させる技術が提案されている。
【先行技術文献】
【特許文献】
【０００５】
【特許文献１】特開２００７−３０６５９１号公報
【発明の概要】
【発明が解決しようとする課題】
【０００６】
しかしながら、基地局をリセットすると、当該基地局が担当していた通信エリアにおいて、無線通信端末が接続できなくなっていた。特に屋内においては、通信可能なエリアが狭くなったとしても、影響する無線通信端末が少ないため、このような状況を解消することをあまり考慮されていなかった。
【０００７】
本発明は、上記に鑑みてなされたものであって、本発明は、上記に鑑みてなされたものであって、エンドユーザの通信に与える影響を低減させる無線管理装置、通信システム、通信方法、及び通信プログラムを提供することを目的とする。
【課題を解決するための手段】
【０００８】
実施形態の無線管理装置は、無線通信可能な領域を形成する無線通信中継装置群を管理する無線管理装置であって、第１の送信手段と、第２の送信手段と、を備える。第１の送信手段は、無線通信中継装置群のうち、隣接する無線通信中継装置間の距離と、当該無線中継装置のアンテナの送信電力を大きくした場合に無線通信可能な距離と、に基づいて定められた第１の無線中継装置に対して、送信電力を大きくさせる第１の制御命令を送信する。第２の送信手段は、第１の無線中継装置に隣接する第２の無線中継装置に対して、当該第２の無線中継装置と接続中の無線端末をハンドオーバーさせる第２の制御命令を送信すると共に、当該第２の無線中継装置に対して、リセット命令を送信する。
【図面の簡単な説明】
【０００９】
【図１】図１は、実施形態に係る無線通信システムの機能構成を示すブロック図である。
【図２】図２は、実施形態に係る管理装置と、第１の基地局との構成を示したブロック図である。
【図３】図３は、リセットグループリスト記憶部が備えるテーブル構造の例を示した図である。
【図４】図４は、通常稼働時における、第１の基地局及び第２の基地局の各々が通信可能な通信エリアを示した図である。
【図５】図５は、第１の基地局のファイル更新時に、第２の基地局がカバーしている通信エリアを示した図である。
【図６】図６は、複数の基地局の各々がファイル更新中に互いの通信エリアを補完するフローを示した図である。
【図７】図７は、リセットグループリスト記憶部が備えるテーブル構造の第２の例を示した図である。
【図８】図８は、通常稼働時における、複数の基地局の各々が通信可能な通信エリアを示した図である。
【図９】図９は、第１の基地局及び第４の基地局のファイル更新時に、第２の基地局及び第３の基地局がカバーしている通信エリアを示した図である。
【図１０】図１０は、実施形態に係る通信システムにおける、各基地局のファイル更新に関する全体的な処理の手順を示すフローチャートである。
【図１１】図１１は、実施形態及び変形例に係る管理装置のハードウェア構成を示した図である。
【発明を実施するための形態】
【００１０】
図１は、実施形態に係る無線通信システムの機能構成を示すブロック図である。図１に示す無線通信システムは、屋内１５１に、管理装置１００、及び基地局ＢＳ１、ＢＳ２、ＢＳ３、ＢＳ４を備える。
【００１１】
管理装置１００は、保守用ネットワーク１７１と、通信用ネットワーク１７２と、接続される。保守用ネットワーク１７１には、集中監視装置１６１が含まれている。集中監視装置１６１は、当該移動通信事業者全体の全基地局の監視や制御を行なう装置である。
【００１２】
本実施形態では、基地局ＢＳ１、ＢＳ２、ＢＳ３、ＢＳ４と、通信用ネットワーク１７２及び保守用ネットワーク１７１と、の間に管理装置１００を配置した。
【００１３】
管理装置１００は、屋内１５１に配置された基地局ＢＳ１、ＢＳ２、ＢＳ３、ＢＳ４と接続し、基地局ＢＳ１、ＢＳ２、ＢＳ３、ＢＳ４を制御するための命令等を送信する。なお、図１に示す例では、説明のために省略しているが、屋内１５１には、４台より多くの無線基地局が配置されてもよい。なお、本実施形態は、接続される基地局の数を制限するものではない。
【００１４】
基地局ＢＳ１、ＢＳ２、ＢＳ３、ＢＳ４は、無線通信端末１８１、１８２と無線通信回線を介して接続する。これにより、無線通信端末１８１、１８２は、基地局ＢＳ１、ＢＳ２、ＢＳ３、ＢＳ４を介して、通信用ネットワーク１７２に接続することが可能となる。
【００１５】
また、本実施形態では、複数の基地局ＢＳ１、ＢＳ４の組み合わせ１９１がリセットされた際に、基地局ＢＳ２、ＢＳ３の組み合わせ１９２が通信エリアをカバーする様に制御される。そして、基地局ＢＳ１、ＢＳ２、ＢＳ３、ＢＳ４は、互いに隣接しているものとする。
【００１６】
これを実現するために、管理装置１００は、基地局の組み合わせ１９１、１９２のうちいずれか一方の組み合わせに含まれる基地局についてファイル更新に伴うリセットを行うよう制御し、他方の組み合わせに含まれる基地局、換言すればリセットされた基地局に隣接する基地局の送信電力を上げる制御を行う。これによりエリア補完を実現する。
【００１７】
さらに、管理装置１００は、リセット対象の基地局に対して、接続中の無線端末へハンドオーバー指示を送信するように制御する。そして、接続中の無線端末がハンドオーバーを完了した時点で基地局のリセットを行なうよう制御する。これにより、接続中の呼に影響を与えることなく、基地局のファイル更新を可能とする。
【００１８】
図２は、本実施形態の管理装置１００と、第１の基地局ＢＳ１との構成を示したブロック図である。
【００１９】
第１の基地局ＢＳ１は、無線部２５１と、送信電力設定部２５２と、呼制御部２５３と、第１の通信インターフェース部２５４と、を備える。なお、他の基地局（例えばＢＳ２、ＢＳ３、ＢＳ４）も、第１の基地局ＢＳ１と同様の構成を備えているものとして、説明を省略する。
【００２０】
無線部２５１は、無線通信回線を介して、無線通信端末１８１、１８２との間でデータの送受信を行う。なお、本実施形態は、無線通信回線を制限するものではないが、例えば、IEEE802.11準拠のＷＬＡＮ(Wireless  Local  Area  Network)を用いることが考えられる。
【００２１】
送信電力設定部２５２は、無線部２５１がデータを送信する際の送信電力を設定する。本実施形態に係る送信電力設定部２５２が、送信電力を変化させることで、第１の基地局ＢＳ１の無線通信可能な範囲（通信エリア）を変化させることができる。
【００２２】
呼制御部２５３は、無線部２５１を介して接続された無線通信端末（例えば無線通信端末１８１）との間の呼制御を行う。本実施形態に係る呼制御部２５３は、無線通信端末（例えば無線通信端末１８１）の呼制御で、通信チャネルを確立し、無線通信端末（例えば無線通信端末１８１）と、通信用ネットワーク１７２との間を中継することが可能となる。
【００２３】
さらに、呼制御部２５３は、無線部２５１を介して、無線通信端末（例えば無線通信端末１８１）に対してハンドオーバーの命令を送信する。これにより、無線通信端末（例えば無線通信端末１８１）の接続先を、第１の基地局ＢＳ１から、他の基地局に切り替えることができる。
【００２４】
第１の通信インターフェース部２５４は、管理装置１００等を接続するためのネットワークインターフェースとする。本実施形態に係る第１の通信インターフェース部２５４は、有線のネットワークインターフェースとするが、無線等を用いても良い。また、有線のネットワークインターフェースとしては、例えば、IEEE802.3準拠のEthernet（登録商標）を用いても良い。
【００２５】
管理装置１００は、屋内に設置される基地局群（ＢＳ１〜ＢＳ４）をまとめて管理するために設けられた装置とする。管理装置１００は、例えば屋内に１、２台を設置することが想定されているが、設置台数を制限するものではない。
【００２６】
管理装置１００は、リセットグループリスト記憶部２０１と、基地局状態管理部２０２と、リセット制御部２０３と、第２の通信インターフェース部２０４と、を備え、無線通信可能な領域を形成する基地局群を監視する。
【００２７】
リセットグループリスト記憶部２０１は、リセットの対象となる基地局を識別する識別情報（リセット基地局リスト）と、リセットの対象となる基地局に隣接する基地局であって、送信電力を大きくすることでリセットの対象となる基地局の通信エリアを補完する基地局を識別する識別情報（補完基地局リスト）と、をリセットグループとして対応付けて記憶する。
【００２８】
リセット対象となる基地局と、リセットされる際に通信エリアを補完する基地局と、は互いに隣接している。そして、本実施形態では、これらの基地局間の距離と、基地局のアンテナの送信電力を大きくした場合に無線通信可能な距離と、に基づいて、リセットグループの対応付けが行われている。つまり、本実施形態に係るリセットグループリスト記憶部２０１には、リセットが行われる基地局と、当該リセットが行われる基地局に隣接する基地局のうち、送信電力を大きくすることで通信エリア（通信可能な範囲）を補完できる基地局と、の対応関係が保持されている。
【００２９】
なお、本実施形態に係るリセットグループリスト記憶部２０１でリセットグループとして対応付けられた複数の基地局は、互いに使用する周波数帯域が重複しないように、周波数帯域が割り当てている。これにより、送信電力が大きくなって各基地局の通信エリアが大きくなったか否かに拘わらず、リセットグループ内の各基地局が、他の基地局の通信を干渉することを抑止できる。
【００３０】
図３は、リセットグループリスト記憶部２０１が備えるテーブル構造の例を示した図である。図３に示す様に、ほぼ同時にリセットされる基地局を示したリセット基地局リストと、当該基地局がリセットされた場合に通信エリアを補完する基地局を示した補完基地局リストと、をグループとして対応付けて記憶する。
【００３１】
図３に示す例では、グループＡは、リセットされる第１の基地局ＢＳ１と、第１の基地局ＢＳ１の通信エリアを補完する基地局ＢＳ２と、を対応付けている。当該グループＡの対応関係は、第１の基地局ＢＳ１がリセットされる場合に、第１の基地局ＢＳ１に隣接している第２の基地局ＢＳ２の送信電力を大きくして、第１の基地局ＢＳ１が中継していた通信可能なエリアを補完することを意味している。
【００３２】
また、当該グループＢの対応関係は、第２の基地局ＢＳ２がリセットされる場合に、第２の基地局ＢＳ２に隣接している第１の基地局ＢＳ１の送信電力を大きくして、第２の基地局ＢＳ２が中継していた通信可能なエリアを補完することを意味している。
【００３３】
図４は、通常稼働時における、第１の基地局ＢＳ１及び第２の基地局ＢＳ２の各々が通信可能な通信エリアを示した図である。図４に示す例では、第１の基地局ＢＳ１は、通信エリア４０１内で通信可能とし、第２の基地局ＢＳ２は、通信エリア４０２内で通信可能とする。これにより、屋内の領域４５１を、第１の基地局ＢＳ１及び第２の基地局ＢＳ２の二台でカバーできる。
【００３４】
本実施形態では、リセットグループリスト記憶部２０１において、第１の基地局ＢＳ１と第２の基地局ＢＳ２とが対応付けられている。このため、管理装置１００は、第１の基地局ＢＳ１をリセットする際に、屋内の領域４５１をカバーするように、第２の基地局ＢＳ２に対して、送信電力を上げる命令を送信する。
【００３５】
図５は、第１の基地局ＢＳ１のファイル更新時に、第２の基地局ＢＳ２がカバーしている通信エリアを示した図である。図５に示す例では、第２の基地局ＢＳ２の送信電力を上げることで、通信エリア５０１を通信可能している。これにより、屋内の領域４５１内で、無線通信端末はデータの送受信が可能となる。このように、本実施形態に係る通信システムでは、第１の基地局ＢＳ１をリセットする際に、第２の基地局ＢＳ２の送信電力を上げることで、通信エリアを補完する。
【００３６】
一般的には設置される基地局が多いほど、多くの無線通信端末を収容することが可能となる。これに対し、図５に示す例では、第２の基地局ＢＳ２で領域４５１をカバーできるが、屋内の領域４５１で稼働している基地局が少なくなる。これに伴い、屋内の領域４５１で送受信可能なトラフィック容量が減少する。このため、図５に示す様なファイル更新を行うのは、接続要求を行う無線通信端末が減少する時間帯（例えば、深夜時間帯、又は土日等）が好ましい。換言すれば、本実施形態に係る通信システムでは、基地局のファイル更新時に、トラフィック容量が減少するものの、屋内の領域４５１内で通信が途切れることないサービスを、無線通信端末に提供できる。
【００３７】
また、管理装置１００は、管理対象の基地局の各々の周波数帯域を管理する。また、管理装置１００は、各基地局の配置に基づいて、リセットグループを自動的に構築しても良い。そして、管理装置１００は、リセットグループに属する基地局毎にそれぞれ異なる周波数帯域を自動的に割り当ててもよい。これにより、管理者の基地局設置時の負担を軽減できる。
【００３８】
そして、本実施形態に係る管理装置１００は、リセットグループリスト記憶部２０１を参照して、各基地局のリセットを制御することで、各基地局のリセット時に通信できない領域が生じることを低減できる。また、管理装置１００でリセット等の一括制御が可能なため、管理者の負担を軽減できる。
【００３９】
図２に戻り、管理装置１００の第２の通信インターフェース部２０４は、基地局ＢＳ１〜ＢＳ４、保守用ネットワーク１７１、及び通信用ネットワーク１７２等を接続するためのネットワークインターフェースとする。本実施形態に係る第２の通信インターフェース部２０４は、有線のネットワークインターフェースとするが、無線等を用いても良い。
【００４０】
基地局状態管理部２０２は、管理装置１００が制御対象とする各基地局の状態を記憶する。例えば、基地局状態管理部２０２は、基地局毎に、通常稼働、リセット、立ち上がり、送信電力増大等の状態を対応付けて記憶する。
【００４１】
リセット制御部２０３は、送信制御部２１１を備え、各基地局のリセット制御を行う。さらに、リセット制御部２０３は、一方の基地局をリセット制御する際に、他方の基地局による補完の制御も行う。リセット又は補完の制御のために、送信制御部２１１が、各種制御命令を基地局に対して送信する。
【００４２】
送信制御部２１１は、リセットグループリスト記憶部２０１を参照して、補完基地局リストで識別される基地局に対して、送信電力を大きくする制御命令を送信する。制御命令の送信先の基地局が、送信電力を大きくすることで、隣接する基地局の通信エリアを補完可能となる。
【００４３】
送信制御部２１１は、リセットグループリスト記憶部２０１を参照して、リセット基地局リストで識別される基地局に対して、当該基地局と接続中の無線通信端末をハンドオーバーさせる制御命令を送信すると共に、当該基地局に対してリセット命令を送信する。本実施形態では、ハンドオーバーさせる制御命令を送信した後、無線通信端末がハンドオーバーをされたことを確認した後に、リセット命令を送信する。
【００４４】
なお、送信制御部２１１が送信電力を大きくする制御命令を送信する基地局と、リセット命令を送信する基地局とはリセットグループリスト記憶部２０１において同じグループとして対応付けられたものとする。
【００４５】
さらに、送信制御部２１１は、リセット命令を送信した基地局がリセット状態から復帰した場合に、送信電力を大きくする制御命令を送信した基地局に対して、通常の送信電力に戻させる制御命令を送信する。
【００４６】
図６は、基地局ＢＳ１、ＢＳ２の各々がファイル更新中に互いの通信エリアを補完するフローを示した図である。図６の（１）では、通常稼働時であり、基地局ＢＳ１、ＢＳ２が、各々の通信エリアをカバーしている。なお、図６の（１）は、図４の状態に相当する。
【００４７】
図６の（２）は、第１の基地局ＢＳ１のファイル更新時を示している。第１の基地局ＢＳ１のリセットが行われた後にファイル更新が行われているため、第２の基地局ＢＳ２の送信電力を大きくして、第１の基地局ＢＳ１がカバーしていた通信エリアを補完している。そして、第１の基地局ＢＳ１のファイル更新が終了した後、第２の基地局ＢＳ２のリセット制御が行われる。なお、図６の（２）は、図５の状態に相当する。
【００４８】
図６の（３）は、第２の基地局ＢＳ２のファイル更新時を示している。第２の基地局ＢＳ２のリセットが行われた後にファイル更新が行われているため、第１の基地局ＢＳ１の送信電力を大きくして、第２の基地局ＢＳ２がカバーしていた通信エリアを補完している。そして、第２の基地局ＢＳ２のファイル更新が終了した後、通常稼働時に復帰するための制御が行われる。
【００４９】
図６の（４）は、基地局ＢＳ１、ＢＳ２のファイル更新が終了し、通常稼働状態に復帰した後を示している。図６の（４）は、図６の（１）と同様に、基地局ＢＳ１、ＢＳ２が、各々の通信エリアをカバーしている。
【００５０】
上述した例では、リセットされる一つの基地局に対して、補完を行う一つの基地局が対応付けられている例について説明した。しかしながら、対応関係は、１対１に制限するものではなく、多対多であっても良い。そこで、複数の基地局のリセットの際に、複数の基地局の送信電力を大きくして補完を行う例について説明する。
【００５１】
図７は、リセットグループリスト記憶部２０１が備えるテーブル構造の第２の例を示した図である。図７に示す様に、グループ毎に、ほぼ同時にリセットされる複数の基地局を示したリセット基地局リストと、当該基地局がリセットされた場合に通信エリアを補完する複数の基地局を示した補完基地局リストと、を対応付けて記憶する。
【００５２】
図７に示す例では、グループＡは、リセット対象の第１の基地局ＢＳ１及び第４の基地局ＢＳ４と、補完を行う第２の基地局ＢＳ２及び第３の基地局ＢＳ３と、を対応付けている。当該グループＡの対応関係は、第１の基地局ＢＳ１及び第４の基地局ＢＳ４をほぼ同時にリセットする場合に、第２の基地局ＢＳ２及び第３の基地局ＢＳ３の送信電力を大きくして、第１の基地局ＢＳ１及び第４の基地局ＢＳ４が中継していた通信可能なエリアを補完することを意味している。
【００５３】
図８は、通常稼働時における、各基地局ＢＳ１〜ＢＳ４の各々が通信可能な通信エリアを示した図である。図８に示す例では、第１の基地局ＢＳ１は、通信エリア８０１内で通信可能とし、第２の基地局ＢＳ２は、通信エリア８０２内で通信可能とし、第３の基地局ＢＳ３は、通信エリア８０３内で通信可能とし、第４の基地局ＢＳ４は、通信エリア８０４内で通信可能とする。これにより、屋内の領域８５１を、四台の基地局でカバーできる。
【００５４】
図７に示す例に従って、管理装置１００は、第１の基地局ＢＳ１及び第４の基地局ＢＳ４をリセットする前に、屋内の領域８５１をカバーするように、第２の基地局ＢＳ２及び第３の基地局ＢＳ３に対して、送信電力を上げる命令を送信する。
【００５５】
図９は、第１の基地局ＢＳ１及び第４の基地局ＢＳ４のファイル更新時に、第２の基地局ＢＳ２及び第３の基地局ＢＳ３がカバーしている通信エリアを示した図である。図９に示す例では、第２の基地局ＢＳ２及び第３の基地局ＢＳ３の送信電力を上げることで、通信エリア９０２、通信エリア９０３を通信可能している。これにより、屋内の領域８５１内で、無線通信端末はデータの送受信が可能となる。
【００５６】
図９に示す様に、第３の基地局ＢＳ３と、第１の基地局ＢＳ１又は第４の基地局ＢＳ４と、の間の距離よりも、第３の基地局ＢＳ３の通信エリア９０３の半径の方が長いため、第３の基地局ＢＳ３で、第１の基地局ＢＳ１及び第４の基地局ＢＳ４の通信エリアをカバーできる。
【００５７】
そして、第１の基地局ＢＳ１及び第４の基地局ＢＳ４を挟んで、第３の基地局ＢＳ３の反対側に第２の基地局ＢＳ２を設置している。そして、第２の基地局ＢＳ２と、第１の基地局ＢＳ１又は第４の基地局ＢＳ４と、の間の距離よりも、第２の基地局ＢＳ２の通信エリア９０２の半径の方が長くしていることで、第３の基地局ＢＳ３と反対側における、第１の基地局ＢＳ１及び第４の基地局ＢＳ４の通信エリアを第２の基地局ＢＳ２がカバーしている。
【００５８】
このように、第１の基地局ＢＳ１及び第４の基地局ＢＳ４の通信エリアを、第２の基地局ＢＳ２及び第３の基地局ＢＳ３が両側からカバーすることで、無線通信端末が通信できない領域が生じることを抑止している。
【００５９】
次に、本実施の形態に係る通信システムにおける、各基地局のファイル更新に関する全体的な処理について説明する。図１０は、本実施の形態に係る通信システムにおける上述した処理の手順を示すフローチャートである。
【００６０】
まず、管理装置１００は、リセットグループリスト記憶部２０１から、リセットグループＡの情報を読み出す。これにより、通信エリアを補完する基地局として、第２の基地局ＢＳ２と第３の基地局ＢＳ３とが特定され、リセットの対象として、第１の基地局ＢＳ１と第４の基地局ＢＳ４とが特定される。
【００６１】
そこで、管理装置１００の送信制御部２１１が、送信電力を増加させる制御命令を、第２の基地局ＢＳ２及び第３の基地局ＢＳ３に対して送信する（ステップＳ１００１、Ｓ１００３）。当該制御命令を受信した、第２の基地局ＢＳ２及び第３の基地局ＢＳ３の送信電力設定部２５２が、無線部２５１を制御し、送信電力の増加させる（ステップＳ１００２、Ｓ１００４）。これにより、第２の基地局ＢＳ２及び第３の基地局ＢＳ３が、第１の基地局ＢＳ１及び第４の基地局ＢＳ４の通信エリアを補完することが可能となる。
【００６２】
これ以降、基地局状態管理部２０２の各基地局の状態は、送信した命令及び受け付けた通知に基づいて更新が行われる。
【００６３】
その後、管理装置１００の送信制御部２１１が、リセット準備要求を、第１の基地局ＢＳ１に対して送信する（ステップＳ１００５）。このリセット準備要求には、接続中の無線通信端末をハンドオーバーさせる制御命令も含まれている。これにより、第１の基地局ＢＳ１の呼制御部２５３が、接続中の無線通信端末に対して、他の基地局（例えば、第２の基地局ＢＳ２又は第３の基地局ＢＳ３）と接続する様にハンドオーバー制御を行う（ステップＳ１００６）。そして、ハンドオーバー制御を含めたリセットの準備が整った後、第１の基地局ＢＳ１の呼制御部２５３が、第１の通信インターフェース部２５４を介して、リセット準備応答を、管理装置１００に対して送信する（ステップＳ１００７）。
【００６４】
また、管理装置１００と第４の基地局ＢＳ４との間でも、ステップＳ１００５〜Ｓ１００７と同様のリセット準備のための処理が行われる（ステップＳ１００８〜Ｓ１０１０）。
【００６５】
その後、管理装置の送信制御部２１１が、リセット命令を、第１の基地局ＢＳ１に対して送信する（ステップＳ１０１１）。これにより、第１の基地局ＢＳ１の呼制御部２５３が、自装置のリセット制御を行う（ステップＳ１０１２）。
【００６６】
そして、第１の基地局ＢＳ１は、リセット後、ファイル更新を行う。ファイル更新の後、第１の基地局ＢＳ１の呼制御部２５３は、第１の通信インターフェース部２５４を介して、立ち上がりが完了した旨を、管理装置１００に対して通知する（ステップＳ１０１３）。
【００６７】
同様に、管理装置１００と第４の基地局ＢＳ４との間でも、ステップＳ１０１１〜Ｓ１０１３と同様に、リセット及びファイル更新に関する処理が行われる（ステップＳ１０１４〜Ｓ１０１６）。
【００６８】
このように、第１の基地局ＢＳ１及び第４の基地局ＢＳ４は、リセット命令に従ってリセット制御をするが、このときには無線通信端末のハンドオーバーが行われた後であり且つ通信エリアも補完されている。このため、無線通信端末による、通信中呼や新規に生起される呼は、いずれもファイル更新の影響を受けることなく通信が可能である。
【００６９】
そして、リセット制御がなされた全ての基地局から立ち上がり完了した旨の通知を受け取った後、管理装置１００の送信制御部２１１が、通信エリアを拡大させている第２の基地局ＢＳ２に対して、通常動作に復帰させる（送信電力を通常値に戻させる）制御命令を送信する（ステップＳ１０１７）。これにより、第２の基地局ＢＳ２の送信電力設定部２５２が、無線部２５１に対して、送信電力を通常値に戻す制御を行う（ステップＳ１０１８）。これにより、基地局状態管理部２０２が、全ての基地局が通常稼働している状態に更新される。
【００７０】
さらに、管理装置１００の送信制御部２１１が、通信エリアを拡大させている第３の基地局ＢＳ３に対して、通常動作に復帰させる（送信電力を通常値に戻させる）制御命令を送信する（ステップＳ１０１９）。これにより、第３の基地局ＢＳ３の送信電力設定部２５２が、無線部２５１に対して、送信電力を通常値に戻す制御を行う（ステップＳ１０２０）。
【００７１】
なお、管理装置１００の基地局状態管理部２０２では接続する基地局毎に負荷状態を管理し、ハンドオーバーを指示する際に、最もトラフィックが低い基地局へハンドオーバーするよう指示しても良い。この場合は、最適なトラフィック分散が可能となる。
【００７２】
（変形例）
第１の実施形態では、管理装置１００が、リセットされる基地局に対して、ハンドオーバーさせる制御命令を送信する例について説明した。しかしながら、管理装置１００が、基地局に対して、ハンドオーバーさせる制御命令を送信することに制限するものではない。そこで、変形例では、基地局がハンドオーバーするのではなく、送信電力を下げることで、無線通信端末に自発的なハンドオーバーを促す例について説明する。
【００７３】
当該変形例の構成は、第１実施形態と同様として説明を省略する。変形例においても、リセットされる基地局と隣接する基地局は、送信電力を上げることで通信エリアを補完する。そして、管理装置１００は、リセットする基地局に対して、リセットの準備として送信電力を徐々に下げさせる制御命令を送信する。これにより、リセットする基地局の送信電力設定部２５２は、リセットの前に、徐々に送信電力を下げていく制御を行う。
【００７４】
これにより、当該リセットする基地局と接続中の無線端末は、自発的にハンドオーバーを行う。そして、接続中の無線端末がハンドオーバーを完了した後、基地局がリセットを行なう。これにより、接続中の呼に影響を与えることなく、基地局のファイル更新が可能となる。
【００７５】
従来、屋内用の基地局では、ファイル更新の際には、リセットに伴う一時的な停止状態となる。このため、当該基地局が担当していた通信エリアが不感地帯となり、エンドユーザの通信に影響を与えていた。
【００７６】
これに対して、上述した実施形態及び変形例にかかる通信システムでは、屋内用の基地局のファイル更新等の一時停止状態となっても、隣接する基地局が補完するように制御を行うこととした。これにより、一時停止状態となる基地局が担当していた通信エリアが不感地帯にはならず、エンドユーザの通信に与える影響を低減できる。
【００７７】
さらには、本実施形態に係る通信システムでは、リセットされた基地局の通信エリアを、送信電力を増加させて通信エリアを拡大させた基地局で補完することができるため、基地局の設置数を低減させることができる。
【００７８】
図１１は、上述した実施形態及び変形例の管理装置１００のハードウェア構成を示した図である。図１１に示す様に、管理装置１００は、ＣＰＵ１１０１と、ＲＯＭ１１０２と、ＲＡＭ１１０３と、通信Ｉ／Ｆ１１０４と、ＨＤＤ１１０５と、を備えており、通常のコンピュータを利用したハードウェア構成となっている。
【００７９】
上述した実施形態及び変形例の管理装置１００で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００８０】
また、上述した実施形態及び変形例の管理装置１００で実行される制御プログラムを、インターネット等のネットワークに接続されたコンピュータ上に格納し、ネットワーク経由でダウンロードさせることにより提供するように構成しても良い。また、上述した実施形態及び変形例の管理装置１００で実行される制御プログラムをインターネット等のネットワーク経由で提供または配布するように構成しても良い。
【００８１】
また、本実施形態の制御プログラムを、ＲＯＭ等に予め組み込んで提供するように構成してもよい。
【００８２】
上述した実施形態及び変形例の管理装置１００で実行される制御プログラムは、上述した各部を含むモジュール構成となっており、実際のハードウェアとしてはＣＰＵ１１０１がＨＤＤ１１０５から制御プログラムを読み出して実行することにより上記各部がＲＡＭ１１０３上にロードされ、各部がソフトウェア構成として実現される。
【００８３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
１００…管理装置、１６１…集中監視装置、１７１…保守用ネットワーク、１７２…通信用ネットワーク、１８１、１８２…無線通信端末、２０１…リセットグループリスト記憶部、２０２…基地局状態管理部、２０３…リセット制御部、２０４…第２の通信インターフェース部、２１１…送信制御部、２５１…無線部、２５２…送信電力設定部、２５３…呼制御部、２５４…第１の通信インターフェース部、ＢＳ１〜ＢＳ４…基地局
【図１】
2014003386.tif 000003
【図２】
2014003386.tif 000004
【図３】
2014003386.tif 000005
【図４】
2014003386.tif 000006
【図５】
2014003386.tif 000007
【図６】
2014003386.tif 000008
【図７】
2014003386.tif 000009
【図８】
2014003386.tif 000010
【図９】
2014003386.tif 000011
【図１０】
2014003386.tif 000012
【図１１】
2014003386.tif 000013